(57)【要約】      （修正有）【課題】収納されたロール状の可食性フィルムを湿気から保護し、可食性フィルムディスペンサーに容易に装着することができる可食性フィルム供給用カートリッジを提供する。【解決手段】カートリッジは、円筒状メインボビン１０４及び円筒状巻取ボビン１０５でなったロール状の可食性フィルムテープ１０２と、メイン軸１３２、引出軸１３４、巻取軸１３６、及び周縁垂直壁１３５が互いに離隔して設置されてなるカートリッジ本体１３０と、カートリッジ本体と同一の大きさ及び形状を持つ板状カートリッジカバー１７０とを含む。【選択図】図２
0003177549.tif 000002
【実用新案登録請求の範囲】
【請求項１】
可食性フィルムを一枚ずつ供給する可食性フィルムディスペンサーの内部に装着される可食性フィルム供給用カートリッジにおいて、
一定長さの可食性テープと離型紙テープが二重テープ形態に粘着されてなった可食性フィルムテープが巻き取られる円筒状メインボビン、及び前記可食性フィルムテープから分離された離型紙テープがロール状に巻き取られる円筒状巻取ボビンでなり、ロール状に巻き取られた可食性フィルムテープと；
前記ロール状に巻き取られた可食性フィルムテープが巻き付けられている円筒状メインボビンが回転可能に結合するメイン軸、前記可食性フィルムテープから分離された可食性テープを引き出す引出ローラーが回転可能に結合する引出軸、及び前記可食性フィルムテープから分離された離型紙テープが巻き付けられる円筒状巻取ボビンが回転可能に結合する巻取軸が互いに離隔して設置され、前記ロール状に巻き取られた可食性フィルムテープが回転可能に収納されるように、周縁に沿って一定高さに形成され、前記引出ローラーによって引き出される可食性フィルムテープが排出される引出スリットが形成された周縁垂直壁が設置されてなるカートリッジ本体と；
前記カートリッジ本体の周縁垂直壁の上端部と密接に結合するように、前記カートリッジ本体と同一の大きさ及び形状を持つ板状のカートリッジカバーと；を含んでなることを特徴とする、可食性フィルム供給用カートリッジ。
【請求項２】
前記カートリッジ本体には、前記引出ローラーに近接して設置され、前記引出ローラーの外周面に位置する可食性テープを加圧して密着させるテンションローラーまたはテンション片が設置され、前記引出軸と巻取軸の中心には、前記可食性フィルムディスペンサーの回転軸が挿入されるように、貫通孔が形成されたことを特徴とする、請求項１に記載の可食性フィルム供給用カートリッジ。
【請求項３】
前記巻取ボビンは可食性フィルムディスペンサーの巻取用回転軸の外周面と弾性的に結合して、一定値以上の負荷がかかる場合、前記巻取用回転軸が空転するようにする弾性突片が形成されたことを特徴とする、請求項１に記載の可食性フィルム供給用カートリッジ。
【請求項４】
可食性フィルムを一枚ずつ供給する可食性フィルムディスペンサーの内部に装着される可食性フィルム供給用カートリッジにおいて、
離型紙テープの一面に一定長さに切断された可食性フィルムが一列に粘着されている可食性フィルムテープが巻き取られる円筒状メインボビン、及び前記可食性フィルムテープから分離された離型紙テープがロール状に巻き取られる円筒状巻取ボビンを含み、ロール状に巻き取られた可食性フィルムテープと；
前記可食性フィルムテープが巻き付けられた円筒状メインボビンが回転可能に結合されるメイン軸、前記可食性フィルムテープの離型紙テープから一定長さに切断された可食性フィルムを分離させるようにエッジ部が形成された分離ピン、及び前記可食性フィルムテープから分離された離型紙テープが巻き付けられる円筒状巻取ボビンが回転可能に結合する巻取軸が互いに離隔して設置され、前記ロール状に巻き取られた可食性フィルムテープが回転可能に収納されるように周縁に沿って一定高さに形成され、前記分離ピンによって分離された可食性フィルムが排出されるように引出スリットが形成された周縁垂直壁が設置されてなるカートリッジ本体と；
前記カートリッジ本体の周縁垂直壁の上端部と密接して結合するように、前記カートリッジ本体と同一の大きさ及び形状を持つ板状のカートリッジカバーと；を含んでなることを特徴とする、可食性フィルム供給用カートリッジ。
【請求項５】
前記分離ピンはカートリッジ本体の平面に対して直交方向に設置された円筒状固定ピンであり、その上端は可食性フィルムを分離させるようにエッジ部を形成する水平切断面が形成されたことを特徴とする、請求項４に記載の可食性フィルム供給用カートリッジ。
【請求項６】
前記カートリッジ本体の周縁垂直壁の上端には、前記カートリッジカバーと緊密に結合するための段差部またはフランジが形成されたことを特徴とする、請求項１または４に記載の可食性フィルム供給用カートリッジ。
【請求項７】
前記段差部またはフランジにはシーリング部材がさらに設けられたことを特徴とする、請求項６に記載の可食性フィルム供給用カートリッジ。
【請求項８】
前記引出スリットには、引き出される可食性テープまたは可食性フィルムを案内するとともに、外部から湿気が流入することを防止する密封ガイド部材が設けられたことを特徴とする、請求項１または４に記載の可食性フィルム供給用カートリッジ。
【請求項９】
前記カートリッジ本体の引出軸または巻取軸の中心に形成された貫通孔と前記周縁垂直壁に形成された引出スリットには、外部から湿気が流入することを防止するための密封テープが付着されたことを特徴とする、請求項１または４に記載の可食性フィルム供給用カートリッジ。
【考案の詳細な説明】
【技術分野】
【０００１】
本考案は可食性フィルムを供給するためのカートリッジに係り、より詳しくは収納されるロール状の可食性フィルムを湿気から保護し、可食性フィルムディスペンサーに容易に装着することができるだけでなく、可食性フィルムディスペンサーの構造を単純化することができる可食性フィルム供給用カートリッジに関するものである。
【背景技術】
【０００２】
一般に、可食性フィルムは、澱粉のように人体に有害ではなくて水によく溶ける原料に、人体に有益な物質を混合して薄膜形態に作ったもので、通常食用フィルムと言う。このような可食性フィルムは、口腔または皮膚を通じて人体に有益な物質を投与することができる。例えば、可食性フィルムを口の中に入れ、唾液で溶かせば、人体に有益な物質を体内に易しく投与することができることになる。また、このような可食性フィルムは皮膚などに付着して化粧品または薬品を投与することも可能である。
【０００３】
最近には、このような可食性フィルムに口臭除去及び予防物質と、薄荷またはメントール香のような清浄香及び色素を添加した口腔清浄剤用可食性フィルムが使用されている。このような口腔清浄用可食性フィルムは、従来から広く使用されてきたが、環境汚染または歯牙健康に問題を引き起こしたガムまたはキャンディーを取り替えることができる。特に、ガムまたはキャンディーをデザート用に大量購入して提供した大型飲食店などでデザート用に提供することができる。
【０００４】
このように湿気に弱くて薄膜形態に提供される可食性フィルムを保管するとともに一枚ずつ供給するためのものが可食性フィルムディスペンサーである。このような可食性フィルムディスペンサーは、大別して携帯用と卓上用がある。携帯用ディスペンサーは、ポケット形箱に個々に切断された可食性フィルムを収納し、一枚ずつ引き出して使用するものであり、卓上用は、飲食店のカウンターテーブルに載せられたディスペンサーにロール状の可食性フィルムを一定の大きさに切断して排出することで、お客さんが一枚ずつ引き出して使用するようにするものである。
【０００５】
本考案は、ロール状に巻き付けられている可食性フィルムを切断して一枚ずつ供給する卓上用可食性フィルムディスペンサーに関する。このような卓上用可食性フィルムディスペンサーは可食性フィルムを連続的に提供するので、多くの人が用いる食堂、病院、銀行などで使用することができる。
【０００６】
図１は従来技術による可食性フィルムディスペンサーの一例を示す断面図である。図示のように、可食性フィルム自動ディスペンサー２００は、スイッチの作動によって、ロール状に巻き付けられた可食性フィルムテープ２０２が回転して、可食性テープ２０２ａを外部に押し出し、押し出された可食性テープ２０２ａは一定長さに切断して可食性フィルム２０２ｃとして排出される。すると、使用者は排出された個々の可食性フィルム２０２ｃを引き出して使用する。
【０００７】
従来技術による可食性フィルムディスペンサー２００は、図示のように、大別してロール状に巻き付けられた可食性フィルムテープ２０２と、その内部にセットされている可食性フィルムテープ２０２を引き出すとともに、一定長さに切断して供給するディスペンサー本体２１０とから構成される。
【０００８】
前記可食性フィルムテープ２０２は可食性テープ２０２ａと離型紙テープ２０２ｂからなった二重テープの構造であり、前記可食性フィルムテープ２０２の一端は円筒状メインボビン２０３に巻き付けられている。そして、前記ディスペンサー本体２１０は、前記メインボビン２０３を軸支するメイン軸２１１と、前記可食性フィルムテープ２０２から分離された離型紙テープ２０２ｂが巻き取られる巻取ボビン２０４を軸支する巻取軸２１５とが離隔して形成されている。また、前記メイン軸２１１と巻取軸２１５の間には、可食性フィルム２０２を案内するためのガイド手段２１２と、前記可食性フィルム２０２を引き出すとともに離型紙テープ２０２ｂから可食性テープ２０２ａを分離するための分岐軸２１３と、前記ガイド手段２１２から引き出される可食性テープ２０２ａを切断するためのカッティング手段２１４と、前記分岐軸２１３の回転距離を感知するためのセンサー２６１、２６３でなる引出長感知手段２１６とから構成されている。
【０００９】
したがって、従来の可食性フィルム自動ディスペンサー２００にロール状に巻き付けられた可食性フィルムテープ２０２をセットするためには、まずディスペンサー本体２１０の内部、特に内部ケース２１９に形成されているメイン軸２１１にロール状に巻き付けられた可食性フィルムテープ２０２を回転可能に設置し、内部ケース２１９から引き出された可食性フィルムテープ２０２はガイドロッド２１２を貫通させた後、分岐軸２１３で分離された可食性テープ２０２ａはカッティング手段２１４の貫通スリット２４１を通じて保持し、前記可食性フィルムテープ２０２から分離された離型紙テープ２０２ｂは引出長感知手段２１６を経て巻取ボビン２０４の外周面に固定させなければならない。
【００１０】
このように、従来技術による可食性フィルム自動ディスペンサー２００は、ロール状に巻き付けられている可食性フィルムテープ２０２を、カートリッジを使用しないでディスペンサー本体２１０に直接装着する構造であるので、可食性フィルムテープ２０２をセットするのに多大な時間がかかり、セット作業に熟練が要求され、湿気に弱い可食性フィルムテープ２０２がディスペンサー本体２１０の内部に浸入した湿気に露出して可食性テープが損傷される問題点があった。
【００１１】
可食性フィルムテープ２０２をセットするのに多大な時間がかかれば、昼食または夕食のときのように、忙しい時間に可食性フィルムテープ２０２を適時にセットすることができなくてお客さんの不満を引き起こすことができる。したがって、このような複雑なセット作業は、飲食店で可食性フィルム自動ディスペンサー２００の使用を嫌う原因になっている。また、従来の可食性フィルム自動ディスペンサー２００は、湿気から保護するためのカートリッジを使用しないことにより、可食性テープが湿気によって損傷されるか異物や微生物によって汚染される問題があり、湿気によって損傷された可食性テープが離型紙テープに沿って排出できない故障を引き起こす問題があった。
【００１２】
さらに、従来の可食性フィルム自動ディスペンサー２００は、底面積が大きいため、カウンターテーブルなどのような狭小な場所に設置しにくい問題があった。すなわち、従来の可食性フィルム自動ディスペンサー２００は、ロール状に巻き取られている可食性フィルムテープ２０２の前方に駆動軸２１５、ガイド手段２１２、分岐軸２１３及び駆動手段２４３などが設置される構造であって、ディスペンサー本体２１０が水平に横たえられた構造である。したがって、ディスペンサー本体２１０の底面積が広くなり、各部品の配置がコンパクトにならない問題がある。これにより、従来の可食性フィルム自動ディスペンサー２００は別途の専用テーブルを使用しなければならない。
【００１３】
このような問題点は全体的に可食性フィルム自動ディスペンサー２００の普及を難しくし、可食性フィルム自動ディスペンサー２００の大衆化に繋がらない原因になっている。本考案者はこのような問題点を解決することができる新形態の可食性フィルムディスペンサーを開発するにつれて、本考案による可食性フィルム供給用カートリッジを考案することになった。
【考案の概要】
【考案が解決しようとする課題】
【００１４】
したがって、本考案はこのような従来技術の問題点を解決するためになされたもので、本考案の主目的は、カートリッジの内部に収納されているロール状の可食性フィルムテープが湿気によって損傷されることを防止するとともに、可食性フィルムテープを可食性フィルムディスペンサーに迅速で容易に装着かつセットすることができる可食性フィルム供給用カートリッジを提供することである。
【００１５】
また、本考案は、メインボビンと巻取ボビンを含んで構成された可食性フィルムテープを可食性フィルムカートリッジの内部に収納し、前記可食性フィルムテープから分離されて引き出される可食性テープのみがカートリッジの外部に引き出されるようにすることにより、可食性フィルムカートリッジをディスペンサー本体に装着すれば、可食性フィルムテープのセット作業が同時に完了されるので、維持管理が容易であり、非熟練者も容易に使用することができる可食性フィルム供給用カートリッジを提供することを他の目的とする。
【００１６】
また、本考案は、一定長さに切断された可食性テープが二重テープ形態に巻き取られている可食性フィルムテープを分離ピンが設置された可食性フィルムカートリッジに収納することにより、ディスペンサー本体の駆動手段を単純にするだけでなく、カッター手段及びエンコーダー手段を省略して製品単価を低めることができる可食性フィルム供給用カートリッジを提供することをさらい他の目的とする。
【課題を解決するための手段】
【００１７】
このような本考案の目的を達成するために、本考案による一観点によれば、可食性フィルムを一枚ずつ供給する可食性フィルムディスペンサーの内部に装着される可食性フィルム供給用カートリッジにおいて、一定長さの可食性テープと離型紙テープが二重テープ形態に粘着されてなった可食性フィルムテープが巻き取られる円筒状メインボビン、及び前記可食性フィルムテープから分離された離型紙テープがロール状に巻き取られる円筒状巻取ボビンでなり、ロール状に巻き取られた可食性フィルムテープと；前記ロール状に巻き取られた可食性フィルムテープが巻き付けられている円筒状メインボビンが回転可能に結合するメイン軸、前記可食性フィルムテープから分離された可食性テープを引き出す引出ローラーが回転可能に結合する引出軸、及び前記可食性フィルムテープから分離された離型紙テープが巻き付けられる円筒状巻取ボビンが回転可能に結合する巻取軸が互いに離隔して設置され、前記ロール状に巻き取られた可食性フィルムテープが回転可能に収納されるように、周縁に沿って一定高さに形成され、前記引出ローラーによって引き出される可食性フィルムテープが排出される引出スリットが形成された周縁垂直壁が設置されてなるカートリッジ本体と；前記カートリッジ本体の周縁垂直壁の上端部と密接に結合するように、前記カートリッジ本体と同一の大きさ及び形状を持つ板状のカートリッジカバーと；を含んでなることを特徴とする、可食性フィルム供給用カートリッジが提供される。
【００１８】
本考案の他の観点によれば、可食性フィルムを一枚ずつ供給する可食性フィルムディスペンサーの内部に装着される可食性フィルム供給用カートリッジにおいて、離型紙テープの一面に一定長さに切断された可食性フィルムが一列に粘着されている可食性フィルムテープが巻き取られる円筒状メインボビン、及び前記可食性フィルムテープから分離された離型紙テープがロール状に巻き取られる円筒状巻取ボビンを含み、ロール状に巻き取られた可食性フィルムテープと；前記可食性フィルムテープが巻き付けられた円筒状メインボビンが回転可能に結合されるメイン軸、前記可食性フィルムテープの離型紙テープから一定長さに切断された可食性フィルムを分離させるようにエッジ部が形成された分離ピン、及び前記可食性フィルムテープから分離された離型紙テープが巻き付けられる円筒状巻取ボビンが回転可能に結合する巻取軸が互いに離隔して設置され、前記ロール状に巻き取られた可食性フィルムテープが回転可能に収納されるように周縁に沿って一定高さに形成され、前記分離ピンによって分離された可食性フィルムが排出されるように引出スリットが形成された周縁垂直壁が設置されてなるカートリッジ本体と；前記カートリッジ本体の周縁垂直壁の上端部と密接して結合するように、前記カートリッジ本体と同一の大きさ及び形状を持つ板状のカートリッジカバーと；を含んでなることを特徴とする、可食性フィルム供給用カートリッジが提供される。
【考案の効果】
【００１９】
以上説明したように、本考案による可食性フィルム供給用カートリッジは、ロール状に巻き付けられた可食性フィルムテープを密閉した可食性フィルムカートリッジに収納して保管・運送するかディスペンサー本体に装着して使用することで、湿気に弱い可食性フィルムが湿気によって損傷されるかその他の異物や微生物によって汚染されることを防止することができる効果がある。
【００２０】
また、本考案による可食性フィルム供給用カートリッジは、メインボビンと巻取ボビンを含んで構成された可食性フィルムテープを可食性フィルムカートリッジの内部に収納し、前記可食性フィルムテープから引き出された可食性テープだけがカートリッジの外部に引き出されるようにすることで、可食性フィルムカートリッジをディスペンサー本体に装着するだけで、複雑な作業なしに可食性フィルムテープのセット作業が完了されるので、維持管理が容易で非熟練者でも易しく使用することができる効果がある。
【００２１】
さらに、本考案は、一定長さに切断された可食性テープが二重テープ形態に巻き取られている可食性フィルムテープを分離ピンが設置された可食性フィルムカートリッジに収納してディスペンサー本体に装着して使用するようにすることで、駆動手段の構成を単純にするだけでなく、カッター手段及びエンコーダー手段などを省略して生産単価を画期的に減らすことができる効果がある。
【図面の簡単な説明】
【００２２】
【図１】図１は従来技術による可食性フィルム自動ディスペンサーを示す断面図である。
【図２】図２は本考案による可食性フィルムカートリッジの一例を示す分解斜視図である。
【図３】図３は本考案による可食性フィルム供給用カートリッジが装着される可食性フィルムディスペンサーを示す斜視図である。
【図４】図４は図３に示されたディスペンサー本体の内部構成を示す分解斜視図である。
【図５】図５は図３に示されたディスペンサー本体の構造を示す組立斜視図である。
【図６】図６は本考案による可食性フィルムカートリッジがディスペンサー本体に装着される形態を示す斜視図である。
【図７】図７は図３の部分拡大図で、垂直隔壁に設置される固定ピンの構造を示す分解斜視図である。
【図８】図８は図３に示されたカッター手段の一例を示す分解斜視図である。
【図９】図９は図３に示されたディスペンサー本体に本考案による可食性フィルムカートリッジが装着された形態を示す側面図である。
【図１０】図１０は本考案による可食性フィルムカートリッジの他の実施例を示す分解斜視図である。
【図１１】図１１は本考案による可食性フィルム供給用カートリッジが装着される可食性フィルムディスペンサー本体を示す内部組立斜視図である。
【図１２】図１２は本実施例による可食性フィルム供給用カートリッジをディスペンサー本体に装着する形態を示す斜視図である。
【図１３】図１３は本考案のディスペンサー本体に本実施例による可食性フィルムカートリッジが装着された形態を示す側面図である。
【考案を実施するための形態】
【００２３】
以下、添付図面に基づいて本考案の好適な実施例による可食性フィルム供給用カートリッジを詳細に説明する。
【実施例】
【００２４】
まず、図２は本考案による可食性フィルムカートリッジの一例を示す分解斜視図、図３は本考案による可食性フィルム供給用カートリッジが装着される可食性フィルムディスペンサーを示す斜視図、図４は図３に示されたディスペンサー本体の内部構成を示す分解斜視図、図５は図３に示されたディスペンサー本体の構造を示す組立斜視図である。そして、図６は本考案による可食性フィルムカートリッジがディスペンサー本体に装着される形態を示す斜視図、図７は図３の部分拡大図で、垂直隔壁に設置される固定ピンの構造を示す分解斜視図、図８は図３に示されたカッター手段の一例を示す分解斜視図である。
【００２５】
図示のように、本考案による可食性フィルム供給用カートリッジ（以下、‘可食性フィルムカートリッジ’という）はディスペンサー本体１０の内部に分離可能に装着される。より具体的に、図２に示すように、本考案による可食性フィルムカートリッジ１００は、可食性テープ１０２ａと離型紙テープ１０２ｂが二重テープ形態に粘着されてロール状に巻き取られている可食性フィルムテープ１０２が収納されるとともに、その内部に収納されている可食性テープ１０２ａを外部に引き出すための引出用ローラー１６４と、前記可食性フィルムテープ１０２で分離された離型紙テープ１０２ｂをカートリッジの内部で巻き取る巻取ボビン１０５とを含む。
【００２６】
本考案による可食性フィルム供給用カートリッジ１００が装着される可食性フィルムディスペンサー１（以下、‘可食性フィルムディスペンサー’という）は、図３に示すように、垂直な形態に構成されて底面積が最小化され、コンパクトな構造を持つ。また、前記ディスペンサー本体１０は、その内部に可食性フィルムカートリッジ１００を装着するための装着空間が形成されるとともに、可食性フィルムカートリッジ１００から可食性フィルムテープ２０２を引き出すための駆動手段３０を収容する。したがって、本考案による可食性フィルムカートリッジ１００は前記可食性フィルムディスペンサー１の内部に垂直に装着され、装着の際には、前記駆動手段３０と結合して可食性フィルムテープ２０２を引き出すようにセットされる。
【００２７】
図４に示すように、前記ディスペンサー本体１０は、底板１４の中央に垂直隔板２０が垂直に設置され、この垂直隔板２０の両側面に可食性フィルムカートリッジ１００の装着空間が形成される。また、前記垂直隔板２０の両側面には、装着空間に設置される可食性フィルムカートリッジ１００と結合して可食性フィルムテープ２０２を引き出す駆動手段３０が設置される。
【００２８】
また、図２を参照して本考案による可食性フィルムカートリッジ１００をより詳細に説明すれば、大別して、ロール状に巻き付けられた可食性フィルムテープ１０２が収納される収納空間を形成するように、その周縁に沿って一定高さで周縁垂直壁１３５が形成されたカートリッジ本体１３０と、前記カートリッジ本体１３０の周縁に沿って形成された周縁垂直壁１３５の上端と密接に結合して前記カートリッジ本体１３０の収納空間を密閉させるカートリッジカバー１７０とからなる。
【００２９】
そして、前記カートリッジ本体１３０は全体的に平たい皿状のものであって、一定の大きさ及び形状を持つ板状の本体板１３３と、その本体板１３３の周縁に沿って一体に垂直に形成された周縁垂直壁１３５とからなる。前記本体板１３３の内側面には、後述する円筒状のメイン軸１３２、引出軸１３４及び巻取軸１３６が互いに離隔して一体に形成される。
【００３０】
前記メイン軸１３２には、前記可食性フィルムテープ２０２がロール状に巻き付けられるメインボビン１０４が回転可能に設置され、前記引出軸１３４には、可食性フィルムテープ１０２から可食性テープ１０２ａを引き出す引出ローラー１６４が回転可能に設置され、前記巻取軸１３６には、可食性フィルムテープ１０２から分離された離型紙テープ１０２ｂが巻き取られる巻取ボビン１０５が回転可能に設置される。
【００３１】
図示のように、前記メイン軸１３２は、引出軸１３４と巻取軸１３６の下部に位置するように形成されて、カートリッジ本体１３０が垂直型をなすようにし、各部品がコンパクトに設置されるようにする。そして、前記引出軸１３４と巻取軸１３６の中心には貫通孔が形成されることにより、後述するカートリッジ本体１３０の回転軸３７、３８が挿入できる。また、前記カートリッジ本体１３０には、カートリッジカバー１７０を締結するための多数の締結ボス１３８が一体に形成できる。
【００３２】
そして、前記カートリッジ本体１３０の周縁垂直壁１３５には、引出ローラー１６４によって引き出される可食性テープ１０２ａが排出されるように、一定間隔の引出スリット１３１が形成されている。好ましくは、前記引出スリット１３１の上側面または下側面は一定長さで開放して、可食性フィルムカートリッジ１００の装着を容易にするか可食性テープ１０２ａのセットを容易にする。また、好ましくは、前記周縁垂直壁１３５の上端には、カートリッジカバー１７０が緊密に結合する段差部１３７が形成できる。
【００３３】
他の実施例において、前記周縁垂直壁１３５の上端には、カートリッジカバー１７０の底面との接触面積を増やすか、あるいはカートリッジカバー１７０の周縁に形成された係止突起（図示せず）と緊密に結合するフランジ１３９（図１０）が形成できる。そして、前記段差部１３７とフランジ１３９には、シリコンなどのような軟質素材でなるシーリング部材がさらに取り付けられることができる。さらに、前述した引出スリット１３１にも、シリコンなどのように軟質素材でなった密封ガイド部材１１０（図１０）がさらに取り付けられることができる。前記密封ガイド部材１１０は、可食性テープ１０２ａの引き出しを円滑に案内するだけでなく、引出スリット１３１を通じて湿気が流入することを遮断する。
【００３４】
ついで、前記カートリッジカバー１７０は前述した本体板１３３と同一の大きさ及び形状を持つ板状体であって、その内側に、前記本体板１３３に形成された引出軸１３４及び巻取軸１３６に対応するようにカバー引出軸１７４とカバー巻取軸１７６が一体に形成できる。この場合、前記引出ローラー１６４の一端部は引出軸１３４に設置され、他端部は前記カバー引出軸１７４に回転可能に設置され、前記巻取ボビン１０５の一端部は巻取軸１３６に設置され、他端部はカバー巻取軸１３６に回転可能に設置される。この際、前記巻取軸１３６とカバー巻取軸１７６は比較的短く形成され、その先端が互いに一定距離だけ離隔して、巻取用回転軸３８の外周面が前記巻取ボビン１０５の内周面と結合するようにする。
【００３５】
また、前記カートリッジカバー１７０は、前記カートリッジ本体１３３に形成された締結ボス１３８と対応するように、多数の締結孔１７８が形成される。本考案のカートリッジカバー１７０は、締結孔１７８に締結ネジ１７４を締結することで結合することができる。そして、周縁垂直壁１３５に形成されたフランジ１３９とカートリッジカバー１７０の周縁部を高周波で熱融着するか接着剤で接着して結合することも可能である。また、図示しないクランプを利用して結合することも可能である。
【００３６】
このように構成された本考案の可食性フィルムカートリッジ１００は、まず可食性フィルムテープ１０２が巻き取られているメインボビン１０４をカートリッジ本体１３３に形成されたメイン軸１３２に回転可能に結合し、前記可食性フィルムテープ１０２から分離された離型紙テープ１０２ｂが巻き取られる巻取ボビン１０５をカートリッジ本体１３３に形成された巻取軸１３６に回転可能に結合した後、前記可食性フィルムテープ１０２から分離された可食性テープ１０２ａを引出軸１３４に回転可能に設置された引出ローラー１６４の外周面に密着させ、前記可食性テープ１０２ａの先端を周縁垂直壁１３５の引出スリット１３１に挿入して貫通させることで、前記可食性テープ１０２ａのセット作業が完了することになる。
【００３７】
以上のように、本考案による可食性テープのセット作業は、可食性フィルムカートリッジ１００を組立てる工場で、熟練した作業者がセットしてカートリッジ形態で供給するので、食堂従業員や食堂主人のような使用者はセット作業が不要になる。
【００３８】
一方、前記引出ローラー１６４の下部にはテンションローラー１６５またはテンション片１６６（図９）が設置される。したがって、前記可食性テープ１０２ａは引出ローラー１６４とテンションローラー１６５との間に緊密に狭支される。前記テンションローラー１６５は一種のアイドルローラーであって、前記引出ローラー１６４に近接して設置され、その外周面が弾性素材で取り囲まれている。したがって、前記可食性テープ１０２ａは、引出ローラー１６４とテンションローラー１６５との間に密接に介在した状態で、前記引出ローラー１６４が回転すれば、その回転方向に引き出される。
【００３９】
また、前記カートリッジカバー１７０を結合する前には、前記引出ローラー１６４とテンションローラー１６４との間、かつ引出スリット１３１の上部が開放している状態であるので、前記可食性テープ１０２ａを上から下に押し入れる方式で易しく挿入することができる。その後、前記カートリッジ本体１３０上にカートリッジカバー１７０を載せ、多数の締結ネジ１７４を締結すれば、本考案の可食性フィルムカートリッジ１００が組み立てられる。
【００４０】
ついで、前記可食性フィルムカートリッジ１００を長期間保管及び運送するときは、前記引出スリット１３１と、引出軸１３４及び巻取軸１３６に形成された貫通孔に別途の密封用テープを接着することができる。密封用テープを付着することにより、外部からカートリッジの内部に湿気が流入することを遮断することができる。したがって、本考案による可食性フィルムカートリッジ１００は密封状態で保管及び流通されるので、可食性フィルムが湿気によって損傷されるか異物または微生物によって汚染されることを防止することができる。
【００４１】
一方、本考案による可食性フィルムカートリッジ１００の巻取ボビン１０５には、内部の中空部側に弾性突片３８（図９）が一体に形成される。前記弾性突片３９の一側は巻取ボビン１０５に一体に結合され、他側は自由端であって内部の中空部側に突出する。したがって、前記巻取ボビン１０５の中空部に巻取用回転軸３８を挿入すれば、前記弾性突片３９が巻取ボビン１０５と巻取用回転軸３８を一定の弾性力で結合させる。したがって、前記巻取ボビン１０５に結合されている巻取用回転軸３８が回転するとき、前記弾性突片３９の弾性力の限界範囲内では、巻取用回転軸３８が巻取ボビン１０５を回転させる。しかし、前記弾性突片３９の弾性力の限界範囲以上に負荷がかかれば、前記巻取用回転軸３８が空回転することになり、それ以上離型紙テープ２０２ｂを巻き取ることができなくなる。このように、本考案は、前記弾性突片３９の比較的弱い弾性力を用いて、前記巻取ボビン１０５が可食性フィルムテープ２０２を直接巻き取ることができないようにする一方、前記引出ローラー１６４によって引き出されて分離された離型紙テープ２０２ｂのみを消極的に巻き取ることができるようにして、可食性テープ２０２ａの引き出しを円滑にし、巻取ボビン１０５の直径変化にかかわらず一定の速度で引き出されるようにする。
【００４２】
ついで、図３及び図６に基づいて、本考案によるディスペンサー本体１０の構造を詳細に説明する。
【００４３】
まず、本考案によるディスペンサー本体１０は、比較的小さい面積を持つ底板１４と、この底板１４の上面に垂直に設置される前面板１２及び後面板１３、及び前記底板１４の上面と前記の前・後面板１２、１３の側面に着脱可能に結合される左・右側板１５、１６でなる。この際、好ましくは、前記前面板１２と後面板１３は、その上端部が対向方向に曲がり、その先端が突き合わせられた状態で結合される。これにより、別に分離された上面板が不要になる。
【００４４】
一方、前記左・右側板１５、１６が分離され、その内部の空間に前述した本考案による可食性フィルムカートリッジ１００が装着される。前記可食性フィルムカートリッジ１００が装着されれば、左・右側板１５、１６を結合することにより、湿気や異物が流入することを防止する。この際、前記左・右側板１５、１６の上部には弾性フック６２が設けられ、下部には水平リブ６３が一体に形成される。また、前記左・右側板１５、１６の外側面には、指を入れることができる取っ手６４が形成される。したがって、前記底板１４に形成されたスライド結合凹部８３に前記水平リブ６３を挿入し、前記前面板１２と後面板１３に形成されたフック部８２に弾性フック６２を弾性的に結合することにより、左・右側板１５、１６を分離可能に結合する。
【００４５】
ついで、前記前面板１２に一体に形成された突出部７２の上面には、可食性フィルムが供給される二つの供給スリット７４が形成されている。そして、供給スリット７４の前方には、供給スリット７４と対応する二つの作動スイッチ７６が設置されている。したがって、いずれの作動スイッチ７６を押せば、これに対応する供給スリット７４から可食性フィルムが排出される。また、図示しなかったが、前記前面板１２には可食性フィルムの種類またはその使用方法などを記載するか別途の広告文案を記載する掲示板または広告看板が設置されることができる。
【００４６】
そして、前記ディスペンサー本体１０の垂直隔板２０は、ディスペンサー本体１０の内部を両分することができる大きさ及び形状を持つ板体であって、前記底板１４に設置されている支持板２７によって固定される。前記支持板２７は二つのＬ字形プレートが一定間隔で離隔するように設置され、その間に前記垂直隔板２０の下端部を挿入して固定させる。この際、支持板２７と垂直隔板２０は多数の締結ネジ２８で締結される。
【００４７】
また、前記底板１４には、可食性フィルムカートリッジ１００を定着するための定着部４１が形成される。前記定着部４１は、可食性フィルムカートリッジ１００の底面形状と一致するように凹状に形成される。このように、前記垂直隔板２０の両側に定着部４１が形成されるので、可食性フィルムカートリッジ１００は垂直隔板２０の両側にそれぞれ装着することができる。本考案によるディスペンサー本体１０は、垂直隔板２０を利用して二つの可食性フィルムカートリッジ１００を同時に装着することができるので、可食性フィルムテープを頻繁に入れ替らなくても良いだけでなく、ディスペンサー本体１０の大きさを最小化してコンパクト化することができる。
【００４８】
また、前記垂直隔板２０には、可食性フィルムカートリッジ１００の引出ローラー１６４と巻取ボビン１０５を駆動するための駆動手段３０が設置される。前記駆動手段３０は、図４に示すように、前記垂直隔板２０を中心に両側にそれぞれ設置されるが、本明細書では、説明の便宜上、一方の駆動手段についてだけ説明する。しかし、他方の駆動手段はその位置だけ異なるばかり、その構成は同一であるので、当業者であれば易しく理解することができる。
【００４９】
前記駆動手段３０は、垂直隔板２０の後方に設置される駆動モーター３２と、前記垂直隔板２０の側面に直交するように固定される引出用固定ピン３４及び巻取用固定ピン３６と、前記引出用固定ピン３４の外周面に回転可能に結合され、その外周面に従動プーリー４７が設置された引出用回転軸３７と、前記巻取用固定ピン３６の外周面に回転可能に結合され、外周面に駆動プーリー４８及びギア３３が設置された巻取用回転軸３８と、前記駆動プーリー４７と従動プーリー４８の間に連結される環状のベルト４５と、前記駆動モーター３２の駆動軸の先端に一体に形成され、前記巻取用回転軸３８の外周面に形成されたギア３３と噛み合うウォームギア３１とからなる。
【００５０】
そして、前記垂直隔板２０の後方には、二つの駆動モーター３２が設置される切開部２２が形成されており、前記切開部２２に載置された駆動モーター３２は別途のブラケット２４によって堅たく固定される。
【００５１】
そして、前記引出用固定ピン３４と巻取用固定ピン３６は、図７に示すように、ボルト部５２が形成されたボルト型固定軸３４’、３６’と、ナット部５３が形成されたナット型固定軸３４、３６の対で構成される。したがって、前記ボルト型固定軸３４’、３６’のボルト部５２を垂直隔板２０に穿設された貫通孔５４を通過して他側のナット型固定軸３４、３６のナット部５３と締結すれば、前記垂直隔板２０の両側面にそれぞれ引出用固定ピン３４と巻取用固定ピン３６が設置される。この際、前記引出用固定ピン３４には環状スペーサ５５が設置され、前記巻取用固定ピン３６の先端には固定手段５６が設置される。
【００５２】
一方、図４及び図５を参照すれば、前記垂直隔板２０の両側には、駆動手段３０をカバーするとともにその外側面に可食性フィルムカートリッジ１００が密接に装着されるようにする内部カバー２６が設置される。前記内部カバー２６は、その内部に一定大きさの空間を形成するように、周縁に沿って垂直壁が形成され、側面には、引出用回転軸３７と巻取用回転軸３８が一定長さで突出するように、二つの貫通孔２７、２８が貫設されている。また、好ましくは、前記内部カバー２６の後方には、駆動モーター３２を容易に設置するとともに放熱などに有利であるように、後方開放部が形成され、前方には電気線または信号線を配線するための前方開放部がそれぞれ形成されている。そして、前記内部カバー２６は多数の締結ネジ２９によって前記垂直隔板２０の側面に固定される。
【００５３】
そして、また図４を参照すれば、前記前面板１２の排出スリット７６の下部には、可食性フィルムカートリッジ１００から引き出される可食性テープ１０２ａを切断するための二つのカッター手段８５が斜めに設置される。前記カッター手段８５は、図８に示すように、可食性テープ１０２ａが貫通する貫通スリット８６が形成されたベース８７と、前記貫通スリット８６に挿入されている可食性テープ１０２ａを切断するように前記ベース８６に沿って移動可能に設置された刃部８８と、前記刃部８８を前進または後進させるためのソレノイドアクチュエーター８９と、前記刃部８８を復帰させるためのコイルスプリング８４と、これらを結合するための結合手段とから構成されている。
【００５４】
本考案において、前記カッター手段８５は直線運動するソレノイドアクチュエーター８９が好ましく使用できるが、別の回転モーターとこの回転モーターの回転運動を直線運動に変換する動力伝達装置とから構成することも可能である。このようなカッター手段８５は当業者であれば容易に実施することができるものであるので、この明細書ではその詳細な説明を省略する。
【００５５】
また、図５に示すように、前記垂直隔板２０の側面には、前記カッター手段８５を制御するための断続スイッチ９１と、前述した駆動プーリー４８と従動プーリー４７の間で回転するベルト４５に沿って回転し、ベルト４５の移動距離に対応して断続スイッチ９１と機械的に接触するエンコーダーローラー９６とが設置される。この際、前記エンコーダーローラー９６は、ベルト４５の移動距離に応じて前記断続スイッチ９１を周期的にオン（ＯＮ）に作動させる。
【００５６】
前記断続スイッチ９１は、内部のスイッチと弾性的に接触する接続部９２を備えて、エンコーダーローラー９６の接触突起９７と機械的に接続される。そして、前記エンコーダーローラー９６は、前記ベルト４５に張力を加えるように近接して設置されて、ベルト４５の移動に応じて正確に回転する。前記接触突起９７はエンコーダーローラー９６に一体に形成されるので、エンコーダーローラー９６が回転するにつれて、断続スイッチ９２の接続部９２と周期的に接触することになる。
【００５７】
好ましくは、前記エンコーダーローラー９６の直径は、可食性フィルムディスペンサー１が供給する可食性フィルム２０２ｃの長さに寄る。例えば、前記エンコーダーローラー９６の円周長は可食性フィルムの長さと同一である。したがって、前記ベルト４５の移動によってエンコーダーローラー９６が回転すれば、前記エンコーダーローラー９６が１回転するごとに接触突起９７が断続スイッチ９１の接続部９２と１回ずつ接触して前記カッター手段８５を作動させるので、前記可食性テープ１０２ａはエンコーダーローラー９６の円周長さ（または前記ベルト４５が移送された長さ）に切断されることになる。このように、本考案は、ベルト４５の移送長に応じて可食性テープ１０２ａを切断するため、可食性フィルムテープ１０２のロール厚さの変化にかかわらず、いつも一定長さの可食性フィルム１０２ｃを提供することができる。また、高価のセンサーを使用しない。
【００５８】
以下では、本考案の可食性フィルムカートリッジ１００をディスペンサー本体１０に装着する方法と、これによる可食性フィルムディスペンサー１の作用について説明する。
【００５９】
まず、可食性フィルムカートリッジ１００をディスペンサー本体１０に装着するためには、前記ディスペンサー本体１０から左・右側板１５、１６を分離し、前記可食性フィルムカートリッジ１００が垂直隔板２０の側面に密着するように装着部４１上に定着させる。すると、図６及び図９に示すように、前記垂直隔板２０に突出している引出用回転軸３７と巻取用回転軸３８が可食性フィルムカートリッジ１００の側面に形成された貫通孔を通じて内部の引出ローラー１６４及び巻取ボビン１０５と結合することになる。そして、引出スリット１３１を通じて露出した可食性テープ１０２ａの先端をディスペンサー本体１０に設置されたカッター手段８５の貫通スリット８６を通じて保持させる。その後、分離された左・右側板１５、１６を再び結合させることで、可食性フィルムカートリッジ１００の装着が完了する。
【００６０】
このように、本考案は、可食性フィルムカートリッジ１００の装着工程が非常に簡単であるだけでなく、このような可食性フィルムカートリッジ１００の装着が完了すれば可食性テープ１０２ａがセットされるので、非熟練者でも速かに可食性フィルムカートリッジ１００を入れ替るか、あるいは装着またはセットすることができる。
【００６１】
このように、可食性フィルムカートリッジ１００が垂直隔板２０の側面に密着している状態で、使用者が作動スイッチ７６を押せば、対応の駆動モーター３２が駆動され、動力伝達手段を介して連結されている巻取用回転軸３８が回転し、巻取ボビン１０５に形成された弾性突片３９の弾性力範囲内で、前記可食性フィルムカートリッジ１００の巻取ボビン１０５を回転させて離型紙テープ１０２ｂを巻き取る。この際、前記巻取用回転軸３８にベルト４５で連結された引出用回転軸３７が回転して、前記可食性フィルムカートリッジ１００の内部の引出ローラー１６４を回転させることにより、可食性テープ１０２ａを引き出す。一方、前記巻取用回転軸３８は、引出用回転軸３７に対比すると、１０％程度高い回転力を持つ代わりに、前記弾性突片３９によって一定値以上の負荷がかかれば空転する構造である。したがって、実質的に可食性フィルムテープ２０２は前記引出ローラー１６４によって引き出され、巻取用回転軸３８は、すでに分離されて負荷がほとんどかからない離型紙テープ２０２ｂのみを巻き取ることになる。
【００６２】
また、前記ベルト４５の移動長に応じて回転するエンコーダーローラー９６は、前記断続スイッチ９１と周期的に接続してカッター手段８５を作動させることで、引き出される可食性テープ１０２ａを一定長さに切断する。このように、一定長さに切断された可食性フィルム１０２ｃは前面板１２の供給スリット７４を通じて排出され、利用者は一枚ずつ引き出して使用することになる。この状態で、使用者が前面板１２に設置された他の作動スイッチ７６を押せば、他の駆動モーターが同様な方式で作動して、他の供給スリット７６を通じて、一定長さに切断された可食性フィルム１０２ｃを供給することになる。
【００６３】
ついで、前記ディスペンサー本体１０の駆動手段３０の作動をより詳細に説明する。使用者の選択によって前記駆動モーター３２が回転すれば、その駆動軸のウォームギア３１と噛み合うギア３３によってその回転力が巻取用回転軸３８に伝達される。同時に、前記巻取用回転軸３８の回転力は駆動プーリー４８と従動プーリー４７の間に連結されたベルト４５を介して引出用回転軸３７にも伝達される。
【００６４】
この際、図９に示すように、前記可食性フィルムカートリッジ１００の引出ローラー１６４と巻取ボビン１０５は前記引出用回転軸３７と巻取用回転軸３８と結合されているので、前記引出ローラー１６４が回転すれば、テンション片１６６、またはテンションローラーによってその外周面に密接に接触している可食性テープ１０２ａがその回転方向に引き出される。また、前記巻取ボビン１０５は、離型紙テープ１０２ｂをその回転方向に巻き取ることになる。したがって、前記可食性テープ１０２ａと離型紙テープ１０２ｂが分離される。
【００６５】
そして、前記巻取ボビン１０５と巻取用回転軸３８の間には、好ましくは、弾性突片３９は、一定値以上の負荷がかかる場合、前記巻取用回転軸３８と巻取ボビン１０５間の結合が解除されて、巻取用回転軸３８が空転することになる。したがって、前記可食性テープ１０２ａが巻取ボビン１０５側に引かれて離脱されることを防止するとともに、ロールの厚さが連続して変わる巻取ボビン１０５によって可食性フィルムテープ２０２が巻き取られることを防止する。
【００６６】
ついで、図１０〜図１３に基づいて、本考案の他の実施例による可食性フィルム供給用カートリッジを詳細に説明する。図面では、前述した実施例と同一構成は同一参照番号を付け、その詳細な説明は省略する。
【００６７】
まず、図１０は本実施例による可食性フィルム供給用カートリッジ１００（以下、‘可食性フィルムカートリッジ’という）を示す分解斜視図、図１１は本実施例によるディスペンサー本体１０の内部構造を示す組立斜視図、図１２は本実施例によるディスペンサー本体１０に可食性フィルムカートリッジ１００を装着する形態を示す斜視図、図１３はディスペンサー本体に本実施例による可食性フィルムカートリッジが装着された形態を示す側面図である。
【００６８】
図示のように、本実施例による可食性フィルムカートリッジ１００は、ロール状に巻き取られた可食性フィルムテープ１０２を収納するための収納空間を形成するカートリッジ本体１３０と、この本体１３０の収納空間を密閉するカートリッジカバー１７０とから構成される。前記カートリッジ本体１３０とカバー１７０はプラスチック射出成形物であり、カートリッジ本体１３０の周縁には周縁垂直壁１３５が一体に形成され、この周縁垂直壁１３５の上端には一定幅でフランジ１３９が一体に形成されている。そして、前記周縁垂直壁１３１には、可食性テープ１０２ａが引き出されるように、一定幅で引出スリット１３１が貫設されている。
【００６９】
前記引出スリット１３１には、シリコンなどの軟質素材でなった密封ガイド部材１１０が設置されることが好ましい。前記密封ガイド部材１１０は射出成形物であり、中央に可食性テープ１０２ａが引き出される通路１１３が貫設され、両側面には引出スリット１３１が形成された周縁垂直壁１３５に結合する結合凹部１１５が形成されている。前記密封ガイド部材１１０は引出スリット１３１に結合されて可食性テープ１０２ａの引き出しを案内するだけでなく、引出スリット１３１を通じて湿気が流入することを遮断する。
【００７０】
そして、本実施例による可食性フィルムカートリッジ１００に収納される可食性フィルムテープ１０２は、可食性テープ１０２ａと離型紙テープ１０２ｂが二重テープ形態になり、前記可食性テープ１０２ａは予め工場で一定長さに切断されている。すなわち、好ましくは、前記可食性フィルムテープ１０２は、離型紙テープ１０２ｂに可食性テープ１０２ａを粘着させた状態で、前記可食性テープ１０２ａを切断してメインボビン１０４に巻き取ったものである。図面において、参照符号１０１は予め形成された切断線を示す。したがって、後述するように、本考案の可食性テープ１０２ａは別途のカットティング装置とカットティング作業が不要になる。
【００７１】
ついで、前記カートリッジ本体１３０は、周縁に沿って周縁垂直壁１３５が一体に形成されて収納空間を形成する本体板１３３を含む。そして、前記本体板１３３の内側面には、前述したメインボビン１０４が回転可能に結合する円筒状メイン軸１３２と、前記巻取ボビン１０５が回転可能に結合する円筒状巻取軸１３６とが一定距離だけ隔たって一体に形成されている。前記メイン軸１３２と巻取軸１３６は円筒状になり、前記巻取軸１３６の中心には、巻取用回転軸３８が挿入されるように，貫通孔が形成されている。また、前記メイン軸１３２と巻取軸１３６の間の上部側には、離型紙テープ１０２ｂから可食性テープ１０２ａ、つまり一定長さに切断された可食性フィルム１０２ｃを離型紙テープ１０２から分離させるための分離ピン１９２が設置される。
【００７２】
前記分離ピン１９２は、本体板１３３上に直交するように設置され、前記可食性フィルムテープ１０２の幅より長い長さを持つ円形固定ピンであり、その上端は可食性フィルム１０２ｃの分離を容易にするエッジ部を形成するため、好ましくは、水平切断面１９３が形成される。一方、前記カートリッジカバー１７０は、前述した本体板１３３と同一の大きさ及び形状を持つ板状体であり、その内側面には、前記本体板１３３に形成された巻取軸１３６に対応するカバー巻取軸１７６が一体に形成できる。また、前記カートリッジカバー１７０は、カバー巻取軸１７６または締結孔などが形成されなかった単純な板体であることができる。この場合、前記カートリッジカバー１７０は高周波熱融着または接着剤を利用して前記周縁垂直壁１３５のフランジ１３９に一体に接合される。
【００７３】
このように、本実施例による可食性フィルムカートリッジ１００は、予め一定長さに切断された可食性フィルム１０２ｃが巻き取られており、この可食性フィルム１０２ｃを離型紙テープ１０２ｂから分離するための分離ピン１９２が内蔵されている。そして、本実施例による可食性フィルムカートリッジ１００が装着されるディスペンサー本体１０は、可食性テープ１０２ｂを切断するためのカッター手段と可食性テープ１０２ｂの長さを測定するためのエンコーダー及び断続スイッチが不要になる。これにより、本考案のディスペンサー本体１０は、その構造が単純であり、可食性テープ１０２ｂのセットが容易であるだけでなく、故障がほとんど無いので、非熟練者でも維持管理が容易である。
【００７４】
以下、本実施例による可食性フィルムカートリッジ１００をディスペンサー本体１０に装着する過程及びその作用を説明する。
【００７５】
まず、図１１及び図１２を参照すれば、左・右側板１５、１６を分離し、前述した可食性フィルムカートリッジ１００を垂直隔板２０の側面に密着して装着する。すると、前記垂直隔板２０の側面に突出した巻取用回転軸３８が前記可食性フィルムカートリッジ１００の側面に形成された貫通孔を通じて内部の巻取ボビン１０５に結合される。そして、引出スリット１３１を通じてその先端が露出するとともに、既に一定長さに切断された可食性フィルム１０２ｃは供給スリット７４の入口に位置することになる。この際、前記供給スリット７４には、好ましくは、可食性フィルム１０２Ｃを案内する案内通路７８が分離ピン１９２の近くにまで延設される。そして、左・右側板１５、１６をディスペンサー本体１０に結合することで、可食性フィルムカートリッジ１００の装着が完了する。
【００７６】
図１３に示すように、前記可食性フィルムカートリッジ１００が垂直隔板２０の側面に密着して装着された状態で、使用者が作動スイッチ７６を選択して押せば、駆動モーター３２が回転して駆動軸のウォームギア３１とかみ合っているギア３３が回転することにより、巻取用回転軸３８が回転することになる。すると、この巻取用回転軸３８と結合している巻取ボビン１０５が回転して、可食性フィルムテープ１０２を回転方向に巻き取ることになる。
【００７７】
この際、前記巻取ボビン１０５によって引き出される可食性フィルムテープ１０２は、前記分離ピン１９２の上面に形成された水平切断面１９２のエッジで、離型紙テープ１０２ｂの急激な折曲によって、可食性フィルム１０２ｃが離型紙テープ１０２ｂから分離される。そして、分離された可食性フィルム１０２ｃは前面板１２に形成された貫通スリット８６に設けられた案内通路７８に沿って供給される。
【００７８】
このように、本実施例による可食性フィルムディスペンサー１は、一定長さに切断された可食性テープ１０２ａを含む可食性フィルムテープ１０２を分離ピン１９２が設置された可食性フィルムカートリッジ１００に収納し、駆動手段３０が設置されている垂直隔板２０に前記可食性フィルムカートリッジ１００を装着することで、可食性フィルムテープ１０２のセット作業を容易にし、可食性テープ１０２ａを切断するためのカッター手段とエンコーダー手段、並びに引出ローラーなどを省略することで、構造を単純化してコンパクトにし、食堂などの狭い空間にも設置することができ、非熟練者でも維持管理を容易にすることができる。
【００７９】
さらに、本考案によるカートリッジ方式の可食性フィルムディスペンサー１は、ディスペンサー本体１０の内部、好ましくは前面板１２の上部側にＬＥＤなどのような小型電球１９９をさらに設置し、この小型電球１９９で発散する熱によって、ディスペンサー本体１０の内部の湿気が放出されるかあるいは外部から湿気が流入することを防止することができる。
【００８０】
以上説明した本考案は、当業者が本考案の技術的思想を逸脱しない範囲内で色々の置き換え、変形及び変更が可能であるので、前述した実施例及び添付図面に示した例に限定されるものではない。
【符号の説明】
【００８１】
１：可食性フィルムディスペンサー
１０：ディスペンサー本体
２０：垂直隔板                      
２６：内部カバー
３０：駆動手段                       
３２：駆動モーター
３４：引出用固定ピン              
３６：巻取用固定ピン
３７：引出用回転軸                
３８：巻取用回転軸
７４：供給スリット                    
７６：作動スイッチ
７８：案内通路                       
８５：カッター手段
９１：断続スイッチ                  
９６：エンコーダーローラー
１００：可食性フィルム供給用カートリッジ
１０２：可食性フィルムテープ
１０２ａ：可食性テープ             
１０２ｂ：離型紙テープ
１０２ｃ：可食性フィルム           
１０４：メインボビン
１０５：巻取ボビン                  
１１０：密封ガイド部材
１３０：カートリッジ本体            １３１：引出スリット
１３２：メイン軸                      
１３４：引出軸
１３６：巻取軸                        
１６４：引出ローラー
１６５：テンションローラー         
１６６：テンション片
１７０：カートリッジカバー
【図１】
0003177549.tif 000003
【図２】
0003177549.tif 000004
【図３】
0003177549.tif 000005
【図４】
0003177549.tif 000006
【図５】
0003177549.tif 000007
【図６】
0003177549.tif 000008
【図７】
0003177549.tif 000009
【図８】
0003177549.tif 000010
【図９】
0003177549.tif 000011
【図１０】
0003177549.tif 000012
【図１１】
0003177549.tif 000013
【図１２】
0003177549.tif 000014
【図１３】
0003177549.tif 000015